(57)【要約】【課題】外箱内に収納された略錐体状の商品を振動や衝撃等より有効に保護する。【解決手段】有底筒状の外箱２と、内部に収納された略錐体状の商品４との間に立体的な緩衝材３を設ける。この緩衝材３は、収納部と、この収納部より外側に向かって放射状に突出した突出部とを有する。収納部は、多角形状の底面部と、この底面部に対して斜め上方に起立し、台形状または三角形状を有する複数の側面部とによって形成される。また、突出部のそれぞれは、収納部の角部のそれぞれより放射状に突出しているとともに、突出部の先端は、外箱における側面部の内側と当接している。【選択図】図１
2004075163.tif 000002
【特許請求の範囲】
【請求項１】
商品収納体において、
側面が底面に対して鉛直上方に起立した有底筒状の外箱と、
前記外箱の内部に収納され、平面状のシート材を折り曲げることによって形成されているとともに、収納部と複数の突出部とを有する緩衝材と、
前記収納部の内部に収納された略錐体状の商品とを有し
前記収納部は、多角形状の底面部と、当該底面部に対して斜め上方に起立し、台形状または三角形状を有する複数の側面部とによって形成され、
前記突出部のそれぞれは、前記収納部の角部のそれぞれより外側に向かって放射状に突出しているとともに、前記突出部の先端は、前記外箱の側面内側と当接していることを特徴とする商品収納体。
【請求項２】
前記突出部のそれぞれは、一の側面部に設けられた左縁部と、前記一の側面部と隣接した他の側面部に設けられた右縁部との対によって形成されており、
前記左縁部は、前記側面部のそれぞれに対応して設けられ、前記側面部の左辺より外側に折り曲がっており、
前記右縁部は、前記側面部のそれぞれに対応して設けられ、前記側面部の右辺より外側に折り曲がっていることを特徴とする請求項１に記載された商品収納体。
【請求項３】
前記突出部の先端は、全体に亘って、前記外箱の側面内側と当接していることを特徴とする請求項１または２に記載された商品収納体。
【請求項４】
前記突出部を構成する前記左縁部および前記右縁部は、互いに連結されていることを特徴とする請求項２または３に記載された商品収納体。
【請求項５】
前記緩衝材は、前記底面部より下方に突出した脚部をさらに有し、前記脚部の先端は、前記外箱の底面内側と当接していることを特徴とする請求項１から４のいずれかに記載された商品収納体。
【請求項６】
前記緩衝材の表面には、前記商品に関する説明が印刷されていることを特徴とする請求項１から５のいずれかに記載された商品収納体。
【請求項７】
側面が底面に対して鉛直上方に起立した有底筒状の外箱の内部に収納される略錐体状の商品を保護する緩衝材の展開構造において、
多角形状の底面部と、
前記底面部の各辺に折曲線を介して連結され、台形状または三角形状を有する複数の側面部と、
前記側面部のそれぞれに対応して設けられており、前記側面部の左辺に折曲線を介して連結された複数の左縁部と、
前記側面部のそれぞれに対応して設けられており、前記側面部の右辺に折曲線を介して連結された複数の右縁部とを有し、
一の側面部に設けられた前記左縁部の辺と、前記一の側面部と隣接した他の側面部に設けられた前記右縁部の辺とのなす角が鋭角であることを特徴とする緩衝材の展開構造。
【請求項８】
前記一の側面部に設けられた前記左縁部と、前記他の側面部に設けられた前記右縁部とは、折曲線を介して互いに連結されていることを特徴とする請求項７に記載された緩衝材の展開構造。
【請求項９】
前記底面部と前記側面部との連結部位に設けられた略コ字状の切り込みをさらに有することを特徴とする請求項７または８に記載された緩衝材の展開構造。
【請求項１０】
前記緩衝材の表面には、収納対象となる商品に関する説明が印刷されていることを特徴とする請求項７から９のいずれかに記載された緩衝材の展開構造。
【請求項１１】
商品収納体の形成方法において、
平面状のシート材を折り曲げることにより、収納部と複数の突出部とを有する立体的な緩衝材を形成するとともに、前記収納部の内部に、略錐体状の商品を収納するステップと、
側面が底面に対して鉛直上方に起立した有底筒状の外箱の内部に、前記商品が収納された前記緩衝材を収納するステップとを有し、
前記収納部は、多角形状の底面部と、当該底面部に対して斜め上方に起立し、台形状または三角形状を有する複数の側面部とによって形成され、
前記突出部のそれぞれは、前記収納部の角部のそれぞれより外側に向かって放射状に突出しているとともに、前記突出部の先端は、前記外箱の側面内側と当接していることを特徴とする商品収納体の形成方法。
【発明の詳細な説明】
【０００１】
【発明の属する技術分野】
本発明は、商品収納体、緩衝材の展開構造、および商品収納体の形成方法に係り、特に、外箱内に収納された略錐体状の商品を保護する緩衝材の構造に関する。
【０００２】
【従来の技術】
従来より、衝撃や振動等を吸収する緩衝材内に商品を収納し、それを外箱内に収納した商品収納体が知られている。例えば、特開２０００−２５５５５９号公報には、１枚の板紙を折り曲げることにより立体化された緩衝材を用いて、商品を保護する商品収納体の構造について開示されている。図９は、従来の商品収納体の外観斜視図である。この商品収納体９は、有底筒状の外箱９０と、上部が開口した箱状の緩衝材９１と、収納対象となる商品１００とによって構成されている。緩衝材９１は、商品１００を収納する収納部９２と、この収納部９２の角部のそれぞれより外側に向かって放射状に突出した４つの突出部９３と、収納部９２より下方に突出した４つの脚部９４とを有する。突出部９３の先端は、外箱９０における側面内側と当接しており、脚部９４の先端は、外箱９０の底面内側と当接している。
【０００３】
【発明が解決しようとする課題】
しかしながら、上述した従来の緩衝材の構造では、収納対象となる商品が円錐状や多角錐状等に代表される略錐体状を有する場合に、その保護が不十分になる可能性がある。なぜなら、収納部９２を構成する側面のそれぞれが鉛直上方に起立しているために、上方に向かうにしたがい、収納部９２内のクリアランス（略錐体状の商品と収納部９２の側面との間に形成される横方向の隙間）が大きくなるからである。その結果、衝撃や振動等が外部より加わった場合、上方に向かうほど、商品のガタつきを規制し難くなるため、緩衝材９１との擦れに起因した、商品の外観上の傷が生じ易い。このような問題は、特に、収納対象が傷つき易い商品（例えば透明感のある塗装ビン）の場合において顕著となる。
【０００４】
本発明は、かかる事情に鑑みてなされたものであり、その目的は、外箱内に収納された略錐体状の商品を振動や衝撃等より有効に保護することである。
【０００５】
【課題を解決するための手段】
かかる課題を解決するために、第１の発明は、側面が底面に対して鉛直上方に起立した有底筒状の外箱と、外箱の内部に収納され、平面状のシート材を折り曲げることによって形成されているとともに、収納部と複数の突出部とを有する緩衝材と、収納部の内部に収納された略錐体状の商品とを有する商品収納体を提供する。収納部は、多角形状の底面部と、この底面部に対して斜め上方に起立し、台形状または三角形状を有する複数の側面部とによって形成される。また、突出部のそれぞれは、収納部の角部のそれぞれより外側に向かって放射状に突出しているとともに、突出部の先端は、外箱の側面内側と当接している。
【０００６】
ここで、第１の発明において、突出部のそれぞれは、一の側面部に設けられた左縁部と、一の側面部と隣接した他の側面部に設けられた右縁部との対によって形成されていることが好ましい。左縁部は、側面部のそれぞれに対応して設けられ、側面部の左辺より外側に折り曲がっている。また、右縁部は、側面部のそれぞれに対応して設けられ、側面部の右辺より外側に折り曲がっている。
【０００７】
また、第１の発明において、突出部の先端は、全体に亘って、外箱の側面内側と当接していることが好ましい。また、一つの突出部を構成する左縁部および右縁部は、互いに連結されていてもよい。また、緩衝材は、底面部より下方に突出した脚部をさらに有していてもよい。この脚部の先端は、外箱の底面内側と当接している。さらに、緩衝材の表面には、商品に関する説明が印刷されていてもよい。
【０００８】
第２の発明は、側面が底面に対して鉛直上方に起立した有底筒状の外箱の内部に収納される略錐体状の商品を保護する緩衝材の展開構造を提供する。この展開構造は、多角形状の底面部と、底面部の各辺に折曲線を介して連結され、台形状または三角形状を有する複数の側面部と、側面部のそれぞれに対応して設けられており、側面部の左辺に折曲線を介して連結された複数の左縁部と、側面部のそれぞれに対応して設けられており、側面部の右辺に折曲線を介して連結された複数の右縁部とを有する。そして、一の側面部に設けられた左縁部の辺と、一の側面部と隣接した他の側面部に設けられた右縁部の辺とのなす角が鋭角である。
【０００９】
ここで、第２の発明において、一の側面部に設けられた左縁部と、他の側面部に設けられた右縁部とは、折曲線を介して互いに連結されていることが好ましい。また、底面部と側面部との連結部位に、緩衝材を立体化した場合に脚部として機能する略コ字状の切り込みを設けてもよい。さらに、緩衝材の表面には、収納対象となる商品に関する説明が印刷されていてもよい。
【００１０】
第３の発明は、平面状のシート材を折り曲げることにより、収納部と複数の突出部とを有する立体的な緩衝材を形成するとともに、収納部の内部に、略錐体状の商品を収納するステップと、側面が底面に対して鉛直上方に起立した有底筒状の外箱の内部に、商品が収納された緩衝材を収納するステップとを有する商品収納体の形成方法を提供する。ここで、収納部は、多角形状の底面部と、この底面部に対して斜め上方に起立し、台形状または三角形状を有する複数の側面部とによって形成されている。また、突出部のそれぞれは、収納部の角部のそれぞれより外側に向かって放射状に突出しているとともに、突出部の先端は、外箱の側面内側と当接している。
【００１１】
【発明の実施の形態】
（第１の実施形態）
図１は、第１の実施形態に係る商品収納体の外観斜視図である。この商品収納体１は、外箱２と、緩衝材３と、商品４とで構成されている。外箱２は、四角形の底面２１と、この底面２１の各辺より鉛直（重力方向）上方に起立した４つの側面２２とを有する。また、このような有底筒状の外箱２の上部には、商品４の取り出しを可能にするために、一対のフラップと開閉蓋とが設けられている。一方、外箱２の内部に収納された商品４は、一例として、アロマオイル入りの塗装瓶であり、この瓶は略円錐状の外観を有する。ただし、収納対象となる商品４は、底部側の断面積よりも上方の断面積の方が小さな略錐体状であればどのようなものであってもよく、例えば、図８（ａ）に示すように水平方向に突出したキャップが頂部に取り付けられた円錐状、同図（ｂ）に示すような多角錐状、或いは、同図（ｃ）に示すようなボトル状であってもよい。緩衝材３は、外箱２と商品４との間に介在する立体的な部材であって、外部からの振動や衝撃等を吸収・緩和する緩衝機能を有し、収納された商品４を保護する。
【００１２】
図２は、商品４の収納状態における緩衝材３の外観斜視図である。この緩衝材３は、四角錐の頭部を切り欠いた形状を有する収納部３１と、４つの突出部３２ａ〜３２ｄとを有する。収納部３１は、四角形状（正方形状）の底面部３１ａと、この底面部３１ａに対して、斜め上方内側に起立した４つの側面部３１ｂ〜３１ｅとによって形成され、これらによって囲まれた内部スペースに商品４が収納される。また、突出部３２ａ〜３２ｄは、収納部３１の角部（この角部は互いに隣接した一対の側面部（例えば３１ｂ，３１ｃ）によって形成される）より、外側に向かって放射状に突出しており、その先端は、外箱２における各側面２２の内側（四隅内側）と当接している。
【００１３】
なお、本実施形態では、収納部３１の頂部が切り欠かれた形状になっている関係上、それぞれの側面部３１ｂ〜３１ｅが台形状に形成されている。しかしながら、収納部３１を完全な四角錐状にする場合（すなわち、切り欠きを設けない場合）には、それぞれの側面部３１ｂ〜３１ｅを三角形状に形成してもよい。ただし、切り欠きを有する形状は、それを有さない形状と比較して、収納部３１の高さを切り欠き分だけ低く抑えることができるため、外箱２のコンパクト化を図る点で有利である。
【００１４】
緩衝材３は、平面状のシート材を折り曲げることによって立体的に形成される。本実施形態では、シート材として、ある程度の強度を有し、加工性に優れ、かつ安価な板紙を用いている。図３は、緩衝材３の平面展開図である。なお、同図に示した点線は、紙面手前側に谷折りされる折曲線であり、一点鎖線は、紙面裏手側に山折りされる折曲線である。
【００１５】
図示した展開状態において、緩衝材３は、底面部３１ａ、４つ側面部３１ｂ〜３１ｅ、および８つ縁部３１ｆ〜３１ｍで構成されている。それぞれの側面部３１ｂ〜３１ｅは、谷折りの折曲線を介して底面部３１ａの各辺に連結されているとともに、底面部３１ａを中心として放射状に延在している。側面部３１ｂ〜３１ｅの左辺には、山折りの折曲線を介して左側の縁部３１ｆ〜３１ｉが連結されているとともに、その右辺には、山折りの折曲線を介して右側の縁部３１ｊ〜３１ｍが連結されている。つまり、それぞれの側面部（例えば３１ｂ）に対応して、２つの縁部（例えば３１ｆ，３１ｊ）が左右に設けられている。上述した突出部３２ａ〜３２ｄは、一の側面部（例えば３１ｂ）に設けられた左縁部（例えば３１ｆ）と、これと隣接した他の側面部（例えば３１ｃ）に設けられた右縁部（例えば３１ｋ）との対によって形成される。また、一つの突出部３２ａ〜３２ｄを構成する左縁部と右縁部との対（例えば３１ｆ，３１ｋ）は、谷折りの折曲線を介して、互いに連結されている。そして、対をなす左縁部の辺ａと右縁部の辺ｂとのなす角θは鋭角になっている。これは、緩衝材３を立体化した際に、突出部３２ａ〜３２ｄの先端に相当する辺ａ，ｂを鉛直方向と一致させるためである。なお、角θの設定角度は、台形状の側面部３１ｂ〜３１ｅにおける斜辺の傾斜角に依存しており、傾斜角が大きいほど設定角度が小さくなる。
【００１６】
つぎに、商品収納体１の形成手順について説明する。商品収納体１を形成するユーザは、まず、展開状態の緩衝材３における底面部３１ａ上に商品４を配置する。つぎに、ユーザは、４つの側面部３１ｂ〜３１ｅを折曲線に沿って谷折りし、底面部３１ａに対して側面部３１ｂ〜３１ｅを斜め上方に起立させる。側面部３１ｂ〜３１ｅが完全に起立した状態では、互いに隣接した一方の側面部（例えば３１ｂ）の左斜辺と、他方の側面部（例えば３１ｃ）の右斜辺とがほぼ当接する。そのため、有底筒状の収納部３１が形成され、その断面積は、底面部３１ａから上方に向かうにしたがい連続的に小さくなる。また、側面部３１ｂ〜３１ｅを起立させる際、側面部３１ｂ〜３１ｅと縁部３１ｆ〜３１ｍとを連結する折曲線が山折りされるとともに、互いに隣接した左縁部（例えば３１ｆ）と右縁部（例えば３１ｋ）とを連結する折曲線が谷折りされる。その結果、縁部３１ｆ〜３１ｍが外側に折り曲げられ、隣接した一対の縁部（例えば３１ｆ，３１ｋ）の面同士が当接するため、突出部３２ａ〜３２ｄが形成される。最後に、ユーザは、立体化された緩衝材３を、外箱２の内部に収納する。
【００１７】
このように、本実施形態では、商品４と外箱２との間に、突出部３２ａ〜３２ｄ付の立体的な緩衝材３を設けることにより、両部材２，４の間に空間が形成される。これにより、外部からの衝撃や振動等に対する緩衝効果が得られる。また、緩衝材３の一部を構成する側面部３１ｂ〜３１ｅの形状を台形状（または三角形状）にすることで、収納部３１の形状は、頂部が切り欠かれた四角錘状（または完全な四角錐状）になる。このような収納部３１の内部に略錐体状の商品４を収納した場合、側面部３１ｂ〜３１ｅの内面が商品４の外観形状に沿う。したがって、両者間における横方向のクリアランスが上下方向の全域に亘って小さくなり、側面部３１ｂ〜３１ｅの内面によって、商品４が全体的に保持される。さらに、突出部３２ａ〜３２ｄの先端が外箱２の内側と当接しているため、外箱２の内部において、収納部３１の位置が安定的に固定され、かつ、その形状も安定的に保持される。以上のような作用が相乗することにより、外部より衝撃や振動等が加わった場合、外箱２の内部に収納された商品４のガタつきを有効に規制でき、かつ、緩衝材３との擦れに起因した、商品２の外観上の傷の発生を効果的に防止できる。なお、このような商品４の保護効果は、傷つき易い商品を収納する場合において特に顕著である。
【００１８】
また、緩衝材３の展開状態において、一対の縁部の辺ａ，ｂがなす角θを鋭角にしたため（図３参照）、緩衝材３を立体化した際、それぞれの突出部３２ａ〜３２ｄの先端は鉛直に切り立つ。これにより、突出部３２ａ〜３２ｄの先端は、その全域に亘って、外箱２を構成する鉛直上方に起立した側面２２の内側と当接する。その結果、外箱２内において、緩衝材３をより安定的に固定・保持できるため、上述した商品４の保護効果を一層高めることができる。
【００１９】
また、本実施形態において、突出部３２ａ〜３２ｄを構成する縁部の対（例えば３１ｆ，３１ｋ）は、互いに連結されて一体化されている。これにより、縁部の対が安定的に保持されるため、突出部３２ａ〜３２ｄの強度の向上を図ることができる。
【００２０】
さらに、折り曲げによって立体化された緩衝材３は形状的に斬新であり、デザイン的にも優れているため、商品４の販売促進効果を高めることが可能となる。なお、緩衝材３の表面に、収納対象となる商品４に関する説明（広告、宣伝、キャッチフレーズ等を含む）を印刷してもよい。これにより、緩衝材３の目新しさを一層演出できるとともに、説明書を別途添付する必要がなくなるため、商品収納体１を構成する部品点数の低減を図ることができる。
【００２１】
なお、本実施形態では、緩衝材３を構成する底面部３１ａの形状として四角形状を例に説明した。しかしながら、底面部の形状は、これに限定されるものではなく、三角形、正六角形、正八角形等を含む多角形状であってもよい。
【００２２】
また、本発明が適用可能な外箱は、底部に対して鉛直上方に起立した側面部とを有する有底筒状のものであればよく、例えば、円柱、多角柱等の外箱に対しても同様に適用可能である。
【００２３】
（第２の実施形態）
図４は、第２の実施形態に係る商品収納体の外観斜視図である。なお、同図において、第１の実施形態で述べた部材と基本的に同一の部材については、同一の符号を付して、ここでの説明を省略する（後述する図面についても同様）。本実施形態が第１の実施形態と相違する点は、底面部３１ａより下方に突出する４つの脚部３３ａ〜３３ｄを緩衝材３’に設けた点である。これらの脚部３３ａ〜３３ｄの先端は、外箱２における底面２１の内側と当接している。
【００２４】
図５は、緩衝材３’の平面展開図である。それぞれの側面部３１ｂ〜３１ｅを起立させる折曲線（換言すれば、底面部３１ａと側面部３１ｂ〜３１ｅとの連結部位）の中央には、略コ字状の切り込みが形成されている。底面部３１ａに対して側面部３１ｂ〜３１ｅを起立させた場合、この起立と連動して、凸状の脚部３３ａ〜３３ｄが下方に突出する。
【００２５】
本実施形態によれば、第１の実施形態と同様の効果を有するほか、脚部３３ａ〜３３ｄ付の緩衝材３’を用いることで、外箱２側の底面２１と緩衝材３’側の底面部３１ａとの間に空間が形成される。その結果、上下方向からの衝撃や振動等に対しても緩衝効果が発揮されるため、収納された商品４を一層効果的に保護することができる。
【００２６】
（第３の実施形態）
図６は、第３の実施形態に係る商品収納体の外観斜視図である。本実施形態が第１または第２の実施形態と相違する点は、外箱２’のサイズである。すなわち、商品４のサイズ自体は、第１の実施形態等と同様であるが、それを収納する外箱２’の横断面は、第１の実施形態等におけるそれよりも小さい。
【００２７】
また、図７に示すように、第１の実施形態等との他の相違点として、緩衝材３’’を構成する８つの縁部３１ｆ’〜３１ｍ’の形状、および、対になる縁部同士（例えば３１ｆ’，３１ｋ’）が折曲線を介して直接連結されていない点が挙げられる。これにより、緩衝材３’’を立体化した場合、突出部３２ａ’〜３２ｄ’の突出長は、最下方（すなわち、底面部３１ａに最も近い部位）では０になり、上方に向かうにしたがい大きくなる。
【００２８】
本実施形態によれば、第１の実施形態と同様の効果を有するほか、突出部３２ａ’〜３２ｄ’の突出長を最下方で０にしたため、その分だけ外箱２の横断面をコンパクト化できる。その結果、物流における省スペース化が可能になるため、輸送コストの低減等を図ることができる。
【００２９】
【発明の効果】
本発明では、側面が底面に対して鉛直上方に起立した有底筒状の外箱と略錐体状の商品との間に、平面状のシート材を折り曲げることによって形成した立体的な緩衝材を介在させる。これにより、収納された商品を振動や衝撃等より有効に保護することができる。
【図面の簡単な説明】
【図１】第１の実施形態に係る商品収納体の外観斜視図
【図２】商品の収納状態における緩衝材の外観斜視図
【図３】緩衝材用シート材の平面展開図
【図４】第２の実施形態に係る商品収納体の外観斜視図
【図５】緩衝材用シート材の平面展開図
【図６】第３の実施形態に係る商品収納体の外観斜視図
【図７】緩衝材用シート材の平面展開図
【図８】商品の外観形状の説明図
【図９】従来の商品収納体の外観斜視図
【符号の説明】
１　商品収納体
２　外箱
３　緩衝材
４　商品
２１　底面
２２　側面
３１　収納部
３１ａ　底面部
３１ｂ〜３１ｅ　側面部
３１ｆ〜３１ｍ　縁部
３２ａ〜３２ｄ　突出部
３３ａ〜３３ｄ　脚部
【図１】
2004075163.tif 000003
【図２】
2004075163.tif 000004
【図３】
2004075163.tif 000005
【図４】
2004075163.tif 000006
【図５】
2004075163.tif 000007
【図６】
2004075163.tif 000008
【図７】
2004075163.tif 000009
【図８】
2004075163.tif 000010
【図９】
2004075163.tif 000011